(57)【特許請求の範囲】
【請求項１】
少なくとも前後一対の針床を有し、前後の針床間で編目の目移しが可能な横編機を用い、Ｖ首剣先部を有する衿付きニットウェアの編成方法であって、
Ｖ首剣先部における分岐中心線を挟んで隣接する２つの編目については、キャリッジ進行方向を一方から他方に切換え、それぞれキャリッジ進行方向に対して
前記隣接する２つの編目のうちキャリッジ進行方向手前側の編目をミス編成、奥側の編目をニット編成する工程と、
前の工程で編成した前記隣接する２つの編目の少なくとも１目に対してその編目と隣接する編目の位置を入れ替え交差させる工程と、
を含むことを特徴とする衿付きニットウェアの編成方法。
【請求項２】
前記編目の位置を入れ替え交差させる工程において、位置の入れ替えが完了する前に前記隣接する２つの編目の少なくとも一方の編目に続けて新たな編目を形成することを特徴とする請求項１に記載の衿付きニットウェアの編成方法。
【請求項３】
前記編目の位置を入れ替え交差させる工程に続いて、前記隣接する２つの編目の少なくとも１目に対して新たな編目を形成することを特徴とする請求項１または２に記載の衿付きニットウェアの編成方法。
【請求項４】
Ｖ首剣先部における分岐中心線を挟んで隣接する２つの編目については、キャリッジ進行方向を一方から他方に切換え、それぞれキャリッジ進行方向に対して前記隣接する２つの編目のうちキャリッジ進行方向手前側の編目をミス編成、奥側の編目をニット編成し、さらに前記隣接する２つの編目の少なくとも１目に対してその編目と隣接する編目の位置を入れ替え交差することで、前記隣接する２つの編目間に複数の編糸を有する交差部を形成することを特徴とする衿付きニットウェア。
【発明の詳細な説明】
【技術分野】
【０００１】
本発明は、ニットウェアのＶ首剣先部において、分岐部となる編目が引き離されることを防ぎ、その分岐部を強化する編成方法と、その編成方法により形成された編地に関するものである。
【背景技術】
【０００２】
衿付きのニットウェアとしては丸首のセットインセーターなどがあり、前身頃を左前身頃と右前身頃に分岐させて左右の衿ぐりを形成し、後身頃も合わせて編成を行った上で肩の接合を行ってセーターとしての形状を整えた状態とした後、衿部のみ後から接合させる編成方法が開示されている。（文献１参照）また、同様に衿付きのニットウェアとしてはＶ首の剣先部を有するベストやセーターなどがある。（図３参照）【０００３】
Ｖ首の剣先部を有するベストでは、文献１と同様に前後の身頃部を先行して編成し、その後に衿部（３）を編成するものである。衿部（３）を周回して編成を行い、身頃部とは異なる編糸で編成が可能で、編目の方向も先行して編まれた編目とは異なる向きに、例えば略垂直などにすることが可能となり、商品価値が向上する。しかしながら、丸首に対してＶ首剣先部は鋭角であり、Ｖ首剣先部の分岐部両側の編目を繋げる為に分岐中心線（ａ−ａ’）付近で目重ねを行う必要がある。図４で示す様に分岐中心線（ａ−ａ’）を挟んで隣接する２つの編目はそれぞれ別々の編目が重ねられることで分岐中心線（ａ−ａ’）から外側に引かれ、隣接する編目が引き離されてしまう。更に着用時には、分岐部に過度の張力が掛かることがあり、糸伸びや糸切れが発生することもある。
【先行技術文献】
【特許文献】
【０００４】
【特許文献１】特許第3863018 号公報
【発明の概要】
【発明が解決しようとする課題】
【０００５】
本発明の課題は、Ｖ首剣先部の分岐中心線を挟んで隣接する２つの編目が外側に引き離されるのを防ぐと共に、この分岐部の強度を向上させる編成方法、およびこの編成方法で編成された編地を提供することである。
【課題を解決するための手段】
【０００６】
本発明は、少なくとも前後一対の針床を有し、前後の針床間で編目の目移しが可能な横編機を用い、Ｖ首剣先部を有する衿付きニットウェアの編成方法であって、Ｖ首剣先部における分岐中心線を挟んで隣接する２つの編目については、キャリッジ進行方向を一方から他方に切換え、それぞれキャリッジ進行方向に対して、前記隣接する２つの編目のうちキャリッジ進行方向手前側の編目をミス編成、奥側の編目をニット編成する工程と、前記隣接する２つの編目の少なくとも１目を含んでその編目と隣接する位置を入れ替え交差させる工程と、を含むことを特徴とする。【０００７】
また本発明は、前記編目の位置を入れ替える工程において、位置の入れ替えが完了する前に少なくとも一方の編目に新たな編目を形成することを特徴とする。【０００８】
さらにまた、本発明は、前記編目の位置を入れ替え交差させる工程に続いて、前記隣接する２つの編目の少なくとも１目を含んで新たな編目を形成することを特徴とする。【０００９】
本発明の衿付きニットウェアは、Ｖ首剣先部における分岐中心線を挟んで隣接する２つの編目については、キャリッジ進行方向を一方から他方に切換え、それぞれキャリッジ進行方向に対して前記隣接する２つの編目のうちキャリッジ進行方向手前側の編目をミス編成、奥側の編目をニット編成し、さらに前記隣接する２つの編目の少なくとも１目を含んでその編目と隣接する位置を入れ替え交差することで、前記隣接する２つの編目間に複数の編糸を有する交差部を形成することを特徴とする。
【発明の効果】
【００１０】
本発明の衿付きニットウェアの編成方法によれば、分岐中心線を挟んで隣接する２つの編目については、キャリッジ進行方向を一方から他方に切換え、それぞれキャリッジ進行方向に対して前記隣接する２つの編目のうちキャリッジ進行方向手前側の編目をミス編成、奥側の編目をニット編成し、隣接する２つの編目間に複数の編糸を形成し、更に隣接する２つの少なくとも１目を含んでその編目と隣接する位置を入れ替え交差させることで、分岐中心線を挟んで隣接する編目間に別の複数の編糸を備えて、Ｖ首剣先部における分岐中心線を挟んで隣接する２つの編目が引き離されるのを防ぎ分岐部を強化することが可能となる。【００１１】
また、本発明の衿付きニットウェアの編成方法は、前記編目の位置を入れ替える工程において、位置の入れ替えが完了する前に少なくとも一方の編目に新たな編目を形成することで糸長が追加されて編糸の余裕ができて目移し時の条件が良くなり、確実に編目の位置を入れ替えることができる。【００１２】
また、本発明の衿付きニットウェアの編成方法は、前記編目の位置を入れ替える工程を行った後で、前記隣接する２つの編目の少なくとも一目に対して新たな編目を形成することで、更に複数の編糸が追加され強度を増すことができる。
【図面の簡単な説明】
【００１３】
【図１】実施例に記載されるＶ首剣先部の編成方法を経時的に説明する編成工程図である。
【図２】本発明を適応した後のＶ首剣先部のイメージループ図である。
【図３】衿付きニットウェアであるベストのイメージ図である。
【図４】従来のＶ首剣先部（頂部）のイメージループ図である。
【発明を実施するための形態】
【実施例】
【００１４】
以下、ベスト１のＶ首剣先部２を用い、分岐中心線（ａ−ａ’）を挟んで隣接する２つの編目を含む編目列（図４のＬ３〜Ｌ５）に本発明の編成方法を適応した実施例を説明する。この実施例では、左右方向に延び、かつ、前後方向に互いに対向する前後一対の針床を有し、前後の針床間で編目の目移しが可能な２枚ベッドの横編機を用いて説明する。以降、この横編機に備わる前針床をＦＢ、後針床をＢＢと示す。また、図示はしないが、この横編機は、ベッド上を往復走行して給糸口を移動させたり、内部に備えるカムで編針を進退動させるキャリッジを有している。【００１５】
図１は編成工程図、図２は本発明を適応した後のＶ首剣先部２の一部をループ図で示す。Ｖ首剣先部であるので、図４に示すように両外側より、分岐中心線（ａ−ａ’）を挟んで隣接する２つの編目に向けて斜め向きの編目が形成されるが、説明の便宜上、真っ直ぐウェール方向に繋がっていく編目にて説明を行う。【００１６】
図３は衿付きニットウェアであるベスト１を示している。図１の中で示す小文字アルファベットは前針床ＦＢの編針ａ〜ｌを示し、大文字アルファベットは後針床ＢＢの編針Ａ〜Ｌを示す。なお、図１では、説明の便宜上、編針の数を実際の編成に使用する数よりも少なくしており、図２、図３においても、ベスト１のＶ首剣先部近傍のコース方向編目列の一部分を示している。また、図１〜図４の中で示すＬ１などの表記が同じであれば、同一の編目列（コース方向）を示している。【００１７】
図１では、図面左のＳ＋数字は工程を示し、図中の黒丸は新たな編目を示し、二重丸は重なった編目を、白丸は係止する旧編目、矢印は編目の移動(目移し)を示す。また図面右の矢印は編成時の給糸口の移動方向を示している。さらに、この編成工程図においては、前針床ＦＢの編針ｅ，ｇに係止する編目を隣り合う２つの編目として説明しており、図２、図３に示す分岐中心線（ａ−ａ’）がその間を通っていることになる。【００１８】
Ｓ１は図４のＬ３の編目列を示しているが、そこに至る編成は省略している。前針床ＦＢの編針ａ，ｃの編目を後針床ＢＢの空針を用いて２Ｐ右方向に移動して編針ｃ，ｅに編目を係止し、同じく前針床ＦＢの編針ｉ，ｋの編目を後針床ＢＢの空針を用いて２Ｐ左方向に移動して、編針ｉ，ｇに編目を係止している。なお、編針ｅ，ｇには編目が２目重なり、編針ａと編針ｋにも図示していない編針より編目が移動した状態を示している。【００１９】
Ｓ２では、紙面左方向に向けて給糸口を移動して、ＦＢの編針ｋ，ｉ，ｅに編糸を給糸してニット編成を行う。編針ｅでニット編成し形成した編目を１０とする。Ｓ３では、キャリッジ進行方向の向きを変え、右方向に給糸口を移動して、ＦＢの編針ｇに編糸を給糸してニット編成し編目１１を形成する。更に、Ｓ４では、左方向に向けて給糸口を移動して、ＦＢの編針ｃ，ａに編糸を給糸してニット編成を行う。ここで、Ｓ２〜Ｓ４の３つの工程でＦＢの編針ａ，ｃ，ｅ，ｇ，ｉ，ｋの各編針には１目のみの編成であるものの、隣接する２つの編目である編針ｅ，ｇ間には３本の編糸１６（図２のＬ４を参照）が渡り、強度を増している。ここでＳ２，Ｓ３においては、前記隣接する２つの編目のうちのキャリッジ進行方向に対し奥側の編目をニット編成し、手前側をミス編成している。なお、本実施例では説明の便宜上、隣接する編目間を繋いでいるのが、編目間を渡る部分であっても、編目を構成している部分であっても、編糸と表現している。【００２０】
Ｓ５では、右方向に向けて給糸口を移動し、後針床ＢＢの編針Ｂ，Ｄ，Ｆ，Ｈ，Ｊ，Ｌに編糸を給糸してニット編成を行う。Ｓ６では、左方向に向けて給糸口を移動して、ＦＢの編針ｋ，ｇに編糸を給糸してニット編成を行う。Ｓ７では、ＦＢの編針ｅ，ｇに係止する編目を後針床ＢＢの編針Ｅ，Ｇに目移しする。この時、Ｓ６でニット編成したＦＢの編針ｇに係止する編目１２に繋がる編糸が、後針床ＢＢの編針Ｅに移動した編目１０の外側（前後針床間からみて）に位置することになる。【００２１】
Ｓ８では、後針床ＢＢを左方向に針２本分ラッキングして、ＢＢの編針Ｇに目移しした編目を、ＦＢの編針ｅに目移しする。Ｓ９では、後針床ＢＢを振り戻し、右方向に給糸口を移動し、ＢＢの編針Ｅに編糸を給糸してニット編成し、編目１３を形成する。この時、折り返す編成を考慮して、給糸口をＦＢの編針ｉを超えた位置まで進めておく。この編成を行うことで、ＦＢの編針ｇに係止する編目１３に繋がる編糸１７が、編針ｉを起点に編目１２に新たに編目１５を形成して、編糸１８を渡している。【００２２】
Ｓ１０では、Ｓ９で形成した後針床ＢＢの編針Ｅに係止している編目１３を、後針床ＢＢを右方向に針２本分ラッキングしてＦＢの編針ｇに目移しする。編目１２と編目１３により、分岐中心線（ａ−ａ’）を跨いで隣接する編目の編糸が交差した状態で位置を入れ替えている。編目１２の２本と編目１３の２本の４本の編糸で隣接する編目を繋いでおり、編糸１６で強化を行った上に続けて強化を重ねている。より強固なものになり、分岐中心線を挟んで隣接する２つの編目が引き離されるのを防いでいる。Ｓ９で形成された編目１３により、糸長が増えることで交差が容易にできる。後針床ＢＢにて編目１３を形成するのは、前後針床間に渡る編糸を更に長くする為であるが、編糸長は少なくなるが前針床ＦＢにて編目１３を形成しても良く、更には編目１１に対して編目を形成して交差を行っても良い。【００２３】
Ｓ１１では、左方向に給糸口を移動し、前記隣接する２つの編目のうちの１目であるＦＢの編針ｅを含むＦＢの編針ｉ，ｅ，ｃ，ａに編糸を給糸してニット編成を行う。この場合も、編針ｉ，ｅ間に２本の編糸が渡る。本実施例では、ＦＢの編針ｉ，ｅ間に編糸が渡るようにしたが、これに限らず、ＦＢの編針ｇ，ｅ，ｃ，ａに編糸を給糸してニット編成しても良い。編糸が少なくなって強度は若干落ちるが、編糸がなくなるので、見栄えは少し良くなる。【００２４】
Ｓ１１の後、編目が解れないようにコース方向に編目列を編成し、伏目などの解れ止め処理を行うが、従来の編成方法で対応する為説明は省略する。
図２は、Ｖ首剣先部のループ編目のイメージ図であり、図１で示した編成工程図に対応している。【００２５】
図２では、Ｌ４の編目列に前記隣接する２つの編目である編目１０と編目１１間に３本の編糸１６があり、Ｌ５の編目列で編目１２と編目１３との交差による編糸が４本ある。更にはその交差させる工程に続いて、新たな編目１４と編目１５を形成することで、編目１４に繋がる編目１０とは編糸１７で、編目１５に繋がる編目１４とは編糸１８で２本の編糸が加わっており、前記隣接する２つの編目を強固に結び付けている。【００２６】
なお、Ｓ２〜Ｓ４の編成では、隣り合う２つの編目である編針ｅ，ｇの編目について進行方向との関係を崩さなければ、逆方向での編成を行っても良く、他の編針での編成を変更しても良い。また、Ｓ７〜Ｓ１０では、隣り合う２つの編目である編針ｅ，ｇの編目の交差で位置を入れ替えているが、交差時の編目の重なりを逆にしても良く、強度は落ちるものの交差を行う編目を編針ｅ，ｇの編目のいずれかを含んでいれば良い。【００２７】
さらにまた、Ｓ９で編目を形成したタイミングをずらし、Ｓ８の前に行っても良い。いずれにしても、交差を行う編目に更に編目を形成することで編みやすくするとともに編糸を配して、引張りに対する強度を上げる。【００２８】
なお、本発明は、上述した実施例に限定されるわけではなく、本発明の要旨を逸脱しない範囲において適宜変更可能である。例えば、４枚ベッド横編機で実施しても良い。
【符号の説明】
【００２９】
１  ベスト
２  Ｖ首剣先部
１０，１１，１２，１３，１４，１５  編目
Ｌ１，Ｌ２，Ｌ３，Ｌ４，Ｌ５  編目列
【図１】
0005543927.tif 000002
【図２】
0005543927.tif 000003
【図３】
0005543927.tif 000004
【図４】
0005543927.tif 000005